(57)【特許請求の範囲】
【請求項１】
連続帳票における帳票の連接方向の両側にスプロケット孔を有する上側帳票と下側帳票とを重ねて、１辺に開口を有するように製袋した袋状連続帳票であって、
前記連接方向に複数設けられ、その方向に少なくとも１つの折り曲げ部を有し、前記連接方向に隣接する山部が互いに異なる方向を向くように、前記折り曲げ部で折り曲げられた状態で、前記上側帳票と前記下側帳票との間に挟まれるテープにより、前記上側帳票と前記下側帳票とを接合し、
帳票の幅方向に複数の袋状部を形成したことを特徴とする袋状連続帳票。
【請求項２】
請求項１に記載の袋状連帳票であって、
複数の前記袋状部の前記連接方向の下側を通るように、前記連接方向と直交する方向に、所定間隔で裁断線を形成したことを特徴とする袋状連続帳票。
【請求項３】
請求項１又は２に記載の袋状連続帳票の製造方法であって、
テープの所定位置を筋押しし、その部分から折り曲げ、袋状連続帳票の襠部を形成する襠部形成工程と、
前記下側帳票の前記襠部及び前記上側帳票との接着予定領域に接着剤を塗布する第１の接着剤塗布工程と、
前記襠部を、前記第１の接着剤塗布工程を経た前記下側帳票上に接着する第１の接着工程と、
前記上側帳票の前記襠部及び前記下側帳票との接着予定領域に接着剤を塗布する第２の接着剤塗布工程と、
前記第２の接着剤塗布工程を経た前記上側帳票を、前記第１の接着工程を経た前記下側帳票上に重ねて、前記襠部を挟んで前記下側帳票と接着する第２の接着工程と、
前記第２の接着工程を経た前記下側帳票，前記上側帳票，及び前記襠部の、前記連接方向と直交する方向に、所定間隔で裁断線を形成する裁断線形成工程とを含むことを特徴とする袋状連続帳票の製造方法。
【発明の詳細な説明】
【０００１】
【産業上の利用分野】
この発明は、襠部を挟んで連続帳票を重ね合わせて、袋状に形成した袋状連続帳票とその製造方法に関するものである。
【０００２】
【従来の技術】
従来より、連続帳票を重ね合わせ、ミシン目間の単位帳票を袋状に接着した袋状連続帳票において、袋の襠部分となる連続帳票（襠帳票）を挟んで上側帳票と下側帳票とを重ね合わせたものが知られている（実開平４−１５５６７号公報）。このような袋状連続帳票は、その表面にプリンタで所定事項を印字した後、各ミシン目で単位帳票（袋状帳票）ごとに裁断する。
この種の袋状帳票は、例えば写真店において、顧客が現像を依頼した複数枚の写真を収納する袋として利用されている。ここで、写真付き年賀葉書等の場合には、１００枚単位の数量で注文されるので、通常の袋状帳票ではそれらが入りきらず、袋状帳票が破れる等の問題があったが、襠部分を有する袋状帳票では、このような大量のものでも十分に収納することができる。
【０００３】
【発明が解決しようとする課題】
しかし、前述の従来の袋状連続帳票では、以下の課題があった。
第１に、上記実開平４−１５５６７号公報の袋状連続帳票では、上側帳票，下側帳票，及び襠帳票の全てにスプロケット孔が形成されており、上側帳票及び下側帳票と襠帳票とを、これらのスプロケット孔により位置決め丁合している。しかし、このような丁合方法では、連続帳票の両側に襠部分を設けることができるが、連続帳票の中央部に襠部分を設けることはできなかった。
第２に、袋状帳票の幅は、その用途に応じてある程度決まっているので、それぞれの袋状帳票に応じた多種類の幅の連続帳票を準備しておく必要があり、製造コストが高くつくという問題があった。さらに、特殊な幅の袋状帳票を製造する場合には、特別の設備を用意する必要があった。
【０００４】
本発明は、上述のような課題を解消するためになされたものであって、襠部分を有する袋状帳票をその要求される幅に対応して効率よく製造し、袋状帳票を低コストで提供することを目的とする。
【０００５】
【課題を解決するための手段】
上述の目的を達成するために、請求項１の発明は、連続帳票における帳票の連接方向の両側にスプロケット孔（１１ａ，１２ａ）を有する上側帳票（１１）と下側帳票（１２）とを重ねて、１辺に開口を有するように製袋した袋状連続帳票（１０）であって、前記連接方向に複数設けられ、その方向に少なくとも１つの折り曲げ部（１３ａ）を有し、前記連接方向に隣接する山部が互いに異なる方向を向くように、前記折り曲げ部で折り曲げられた状態で、前記上側帳票と前記下側帳票との間に挟まれるテープ（１３）により、前記上側帳票と前記下側帳票とを接合し、帳票の幅方向に複数の袋状部を形成したことを特徴とする。請求項２の発明は、請求項１に記載の袋状連帳票であって、複数の前記袋状部の前記連接方向の下側を通るように、前記連接方向と直交する方向に、所定間隔で裁断線を形成したことを特徴とする。
【０００６】
請求項３の発明は、請求項１又は２に記載の袋状連続帳票の製造方法であって、テープの所定位置を筋押しし、その部分から折り曲げ、袋状連続帳票の襠部を形成する襠部形成工程と、前記下側帳票の前記襠部及び前記上側帳票との接着予定領域に接着剤を塗布する第１の接着剤塗布工程と、前記襠部を、前記第１の接着剤塗布工程を経た前記下側帳票上に接着する第１の接着工程と、前記上側帳票の前記襠部及び前記下側帳票との接着予定領域に接着剤を塗布する第２の接着剤塗布工程と、前記第２の接着剤塗布工程を経た前記上側帳票を、前記第１の接着工程を経た前記下側帳票上に重ねて、前記襠部を挟んで前記下側帳票と接着する第２の接着工程と、前記第２の接着工程を経た前記下側帳票，前記上側帳票，及び前記襠部の、前記連接方向と直交する方向に、所定間隔で裁断線を形成する裁断線形成工程とを含むことを特徴とする。
【０００７】
【作用】
請求項１，２の発明においては、テープからなる襠部を有する袋状帳票が、帳票の幅方向に複数形成され、さらに、その複数の袋状帳票が、連続帳票の連接方向に連続して形成される。
従って、襠部の位置及び数を変えることにより、上側帳票と下側帳票との幅を変えずに、所望幅を有する袋状帳票を形成することができる。
請求項３の発明においては、襠部形成工程により袋状連続帳票の襠部が形成され、第１，第２の接着剤塗布工程により下側帳票，上側帳票の所定領域に接着剤が塗布され、第１，第２の接着工程により上側帳票と下側帳票とが、襠部を挟んで重ねられ、襠部を有する袋状帳票が帳票の幅方向に複数形成され、かつその複数の袋状帳票が連続した袋状連続帳票が形成される。
この袋状連続帳票は、プリンタによってその表面に所定事項が印字されると、連接部分から各複数の袋状帳票に裁断され、さらに複数の袋状帳票が、単位袋状帳票に裁断される。従って、襠部を有する袋状帳票を効率よく製造することができる。
【０００８】
【実施例】
以下、図面等を参照して、本発明の一実施例について説明する。
図１は、本発明による袋状連続帳票の一実施例の構成を示す図である。図中（ａ）は平面図を示し、図中（ｂ）は、（ａ）のＡ−Ａ断面を示す断面図である。
袋状連続帳票１０は、連続帳票である略一形状の上側帳票１１及び下側帳票１２と、これらの挟んで重ねられたテープ１３とから構成されている。
上側帳票１１及び下側帳票１２は、普通紙，合成紙，合成樹脂フィルム等から形成されている。実施例では、上側帳票１１及び下側帳票１２は、１４インチ幅のものを用いた。また、テープ１３（１３ａ〜１３ｄ）は、合成樹脂フィルム等の、強度の強い材料から形成されている。これらの上側帳票１１，下側帳票１２，及びテープ１３は、図１（ａ）中、上下方向に連続したものである。また、上側帳票１１及び下側帳票１２の表面には、袋状帳票の用途に応じた印刷が施されている。上側帳票１１と下側帳票１２の上下方向の両側には、それぞれプリンタと係合するためのスプロケット孔１１ａ，１２ａが形成されている。
【０００９】
テープ１３は、上側帳票１１及び下側帳票１２と比較して、その幅が短く、２つ折りに（その断面が略Ｖ字状に）されている。上側帳票１１及び下側帳票１２のテープ１３と重なる予定領域、すなわち各帳票１１，１２のスプロケット孔１１ａ，１２ａの近傍と、中央部の２か所には、上下方向に接着剤１４（１４ａ〜１４ｄ）が塗布されている。なお、図中（ａ）においては、理解を容易にするために、接着剤１４、及び接着剤１５（後述）は、実線で図示している。そして、テープ１３は、上側帳票１１と下側帳票１２との間で、接着剤１４により接着されている。
テープ１３ａ，１３ｄは、その山部が袋状連続帳票１０の内側を向くように接着されている。また、テープ１３ｂ，１３ｃは、その山部が袋状連続帳票１０の外側を向くように接着されている。
【００１０】
一方、上側帳票１１及び下側帳票１２の、接着剤１４ａと１４ｂとの間、及び接着剤１４ｃと１４ｄとの間には、帳票の幅方向（図（ａ）中、横方向）に接着剤１５が塗布されている。従って、上側帳票１１と下側帳票１２とは、この接着剤１５が設けられた領域で接着されている。この接着剤１５は、上下方向において所定間隔で設けられている。また、この接着剤１５が設けられた領域の図（ａ）中、下側を通るように、帳票の幅方向に、ミシン目１６が形成されている。
【００１１】
以上の構成からなる袋状連続帳票１０は、プリンタにかけられ、上側帳票１１に所定事項が印字される。印字された後に、必要に応じてスプロケット孔１１ａ，１２ａを含む両側外縁部が裁断され、さらに各ミシン目１６から裁断される。また、この裁断された袋状帳票は、中央部（図（ａ）中、２点鎖線部）から裁断され、単位袋状帳票ごとに分離される。従って、この袋状帳票は、下側の１辺で接着剤１５により上側帳票１１と下側帳票１２とが接着され、両側の２辺でテープ１３を挟んで上側帳票１１と下側帳票１２とが接着され、上側の１辺が開口されたものとなる。すなわち、テープ１３が、この袋状帳票の襠部となる。
【００１２】
次に、この袋状連続帳票１０の製造方法について説明する。図２〜図５は、本発明による袋状連続帳票の製造方法の一実施例を説明する図である。
図２に示すように、上側帳票１１，下側帳票１２は、それらの外面に、左側と右側とに同一の印刷が行われ、その両端部にスプロケット孔１１ａ，１２ａが形成され、巻き上げられる。
また、図３に示すように、テープ１３は、その中央部分に筋押しが行われて、へこみ部１３ａが形成され、巻き上げられる。ここで、筋押しには、テープ１３の破れ等が発生しないように、先端部が丸められた刃２０が用いられる。へこみ部１３ａが形成されたテープ１３は、その部分から折れやすくなる。
【００１３】
図４は、本発明による袋状連続帳票１０の製造装置の一実施例の概略構成を示す図である。テープ１３は、ガイド部３１を通過することによってへこみ部１３ａから折り曲げられ、その断面が略Ｖ字状に形成される。下側帳票１２の裏面側には、パターンユニット３２により、テープ１３との接着領域、及び上側帳票１１との接着領域に、図１で示した接着剤１４，１５が塗布される。そして、この下側帳票１２の接着剤１４が塗布された領域上に、折り曲げられたテープ１３が重ねられ接着される（図５）。
一方、上側帳票１１の裏面側には、パターンユニット３３により、下側帳票１２と同様の位置に接着剤１４，１５が塗布される。そして、テープ１３が接着された下側帳票１２に、この上側帳票１１が重ねられ、製袋される。
帳票１１，１２及びテープ１３が接着された後、ミシン目形成機３４によって帳票の幅方向に所定間隔でミシン目１６が形成され、このミシン目１６から交互に反対方向に折り返されて、袋状連続帳票１０が完成する。
上述のように袋状連続帳票１０を形成すれば、テープ１３の数及び接着位置を変えることのみで、所望の幅の袋状帳票を効率よく製造することができる。
【００１４】
以上、本発明の一実施例について説明したが、本発明は、上述した実施例に限定されることなく、その要旨を逸脱しない範囲内で種々の変形が可能である。例えば、実施例では、袋状連続帳票１０の幅方向には、２つの袋状帳票を形成したが、３つ以上の袋状帳票を形成しても良い。
また、テープ１３は、１か所を折り曲げてその断面を略Ｖ字状に形成した例を示したが、袋状帳票の襠の長さに応じて、例えば蛇腹状に折り曲げたものでも良い。
【００１５】
【発明の効果】
請求項１，２の発明によれば、テープにより袋状帳票の襠部を形成するようにしたので、襠部の位置及び数を容易に変えることができる。これにより、上側帳票と下側帳票との幅を変えずに、所望幅を有する袋状帳票を形成することができる。
請求項３の発明によれば、テープにより袋状帳票の襠部を形成するとともに、帳票の連接方向のみならず、その幅方向においても複数の袋状帳票を形成するようにしたので、襠部を有する袋状帳票を効率よく製造することができる。
【図面の簡単な説明】
【図１】本発明による袋状連続帳票の一実施例の構成を示す平面図及び断面図である。
【図２】上側帳票１１，下側帳票１２の一実施例を示す斜視図である。
【図３】テープ１３と、その中央部分に形成されるへこみ部１３ａの一実施例を示す図である。
【図４】本発明による袋状連続帳票１０の製造装置の一実施例の概略構成を示す図である。
【図５】接着剤１４，１５が塗布された下側帳票１２に、折り曲げられたテープ１３が重ねられ接着された様子を示す斜視図である。
【符号の説明】
１０  袋状連続帳票
１１  上側帳票
１２  下側帳票
１３（１３ａ〜１３ｄ）  テープ
１４（１４ａ〜１４ｄ），１５  接着剤
１６  ミシン目
【図１】
0003644456.tif 000002
【図２】
0003644456.tif 000003
【図３】
0003644456.tif 000004
【図４】
0003644456.tif 000005
【図５】
0003644456.tif 000006